(57)【要約】ペンシル型化粧内容物を出没させて使う気密型ペンシル化粧品容器が開示される。このために、本発明は、ペンシル化粧品が組み立てられるホルダーのチューブ部がボディーの内部に気密に密着して組み立てられ、前記ボディーの上部に結合されるキャップ内部の密閉ラバーがボディーの上部に気密に密着して組み立てられ、またチューブの拡開密着部がボディーの結合孔の内部に密着して組み立てられる構成によって優れた気密性を確保することにより、化粧品容器の携帯及び保管時、ペンシル化粧品の水分や香りと固有の成分が外部に発散することを根本的に防止し、ボディーの内部への外部空気の流入を遮断して、ボディーの内部に流入した空気によっておこる化粧品の固化、汚染及び変質を防止し、ペンシル化粧品の優れた品質を維持する。【選択図】図２
2019511315.tif 000002
【特許請求の範囲】
【請求項１】
結合孔（１１ａ）が形成され、上面（１２ｂ）を有する結合段差部（１２）の外周面に結合ネジ部（１２ａ）が形成された円筒状のボディー（１０）と、
前記ボディー（１０）の下部に回転可能に結合される下体（２０）と、
前記ボディー（１０）の結合段差部に形成された結合ネジ部（１２ａ）に螺合方式で開閉するように結合する上部キャップ（３０）と、
前記ボディー（１０）の内部に挿合され、上部にペンシル化粧品（２）が挿入されるチューブ（４１）、及びボディー内側のネジ案内部（１５）に螺合して下体上部の組立バー（２５）に挿入されて連結され、下体（２０）の回転操作によって同時に回転しながら昇降作動するネジ棒（４５）を有するホルダー（４０）とを含んでなり、
前記上部キャップ（３０）は、インサートキャップ（３１）と、前記インサートキャップ（３１）の下側凹部（３１ａ）に結合される密閉ラバー（３３）とを含んでなり、前記密閉ラバー（３３）は、キャップ状に下方に開放するように形成される凹部（３３ａ）と、前記凹部（３３ａ）の下部外側にインサートキャップ（３１）の下端を取り囲むフランジ（３３ｂ）とを含み、前記ボディー（１０）に対して上部キャップ（３０）を螺合方式で閉じるとき、前記インサートキャップ（３１）に結合された密閉ラバー（３３）のフランジ（３３ｂ）の下面が前記ボディー（１０）の上面（１２ｂ）に直接気密に密着し、
前記ボディー（１０）の結合孔（１１ａ）は、ボディーの内部に挿入されるチューブ（４１）の拡開密着部（４２）が弾発的に密着するように構成され、ボディー（１０）に上部キャップが結合されるとき、上部キャップの内部及びボディーの内部への空気の流入を遮断するように構成されることを特徴とする、気密型のペンシル化粧品容器。
【請求項２】
前記チューブ（４１）に形成された拡開密着部（４２）は、ボディー（１０）の結合孔（１１ａ）の内径より大きい直径を有するように外側に次第に広がるように構成されることを特徴とする、請求項１に記載の気密型ペンシル化粧品容器。
【請求項３】
前記ホルダー（４０）のチューブ（４１）の下部外側にはボディー（１０）の結合孔（１１ａ）の内側に密着する支持突起（４３）が突設されることにより、ホルダー（４０）の昇降作動による遊動を防止するように構成されることを特徴とする、請求項１に記載の気密型ペンシル化粧品容器。
【発明の詳細な説明】
【技術分野】
【０００１】
本発明は、ペンシル形態の化粧内容物を出没させて使うペンシル化粧品容器に関する。より詳しくは、本発明は、ペンシル化粧品が組み立てられるホルダーのチューブがボディーの内部に気密に密着して組み立てられ、また前記ボディーの上部に結合されるキャップの内部の密閉ラバーがボディーの上部に気密に密着して組み立てられて優れた気密性を確保するのでペンシル化粧品の品質を維持する気密型ペンシル化粧品容器に関する。
【背景技術】
【０００２】
一般に、ペンシル化粧品容器はペンシル型の化粧品を内蔵して使うものである。例えば、アイライナー、リップスティックなどがある。
【０００３】
このようなペンシル化粧品容器は容器内部のペンシル化粧品を上方に突出させるように構成される。
【０００４】
すなわち、韓国実用新案公開第２０−２０１５−４４２４号公報などのように、ペンシル化粧品（リップスティック）が結合されたホルダーが上部に保護管が結合された容器体の内部に挿合され、前記ホルダーの案内突起が螺旋形ガイド溝に結合され、前記容器体を回転操作することによってホルダーが昇降しながらペンシル化粧品（リップスティック）を突出させて使うものである。
【０００５】
このように使った後、これを携帯及び保管しようとする場合には、容器体の上部にキャップを密閉して結合する。前記キャップの内部には密閉部材が結合され、前記密閉部材が保護管の上部に密着して気密に結合する。
【０００６】
しかし、前述した従来のペンシル化粧品容器は気密性が落ち、携帯及び保管時に外部空気が内部に流入してペンシル化粧品と接触し、化粧品を固化させたり固有の成分及び香りが発散するようにし、これにより製品の品質の低下や変質が問題点であった。
【０００７】
すなわち、前記従来のペンシル化粧品容器は、容器体の上部にキャップを密閉して結合するとき、キャップ内部の密閉部材の下端部が保護管の上部に密着し、前記密閉部材の下面は密閉部材の外側壁の厚さに相当する広さに形成されて保護管の上部を密着する面積が小さく、また密閉部材の下面が単純に保護管の上部に密着するだけ、これを押し付ける外力の作用がなくて密着力が低下するので、優れた気密性を確保することができない問題点があった。
【０００８】
それだけでなく、前記キャップの開放時、保護管とホルダー間の隙間を通じて外部空気がホルダー下部の容器体の内部に流入し、蓋を閉じた後にも容器体内部の外部空気が持続的にホルダーのペンシル化粧品と接触して化粧品を固化させたり固有の成分及び香りが発散するようにし、これにより製品の品質の低下や変質が深刻な問題点であった。
【先行技術文献】
【特許文献】
【０００９】
【特許文献１】韓国実用新案公開第２０−２０１５−０００４４２４号公報
【特許文献２】韓国実用新案登録第２０−０４３８５６２号公報
【特許文献３】韓国実用新案登録第２０−０４５０９９５号公報
【発明の概要】
【発明が解決しようとする課題】
【００１０】
本発明は前述した従来技術が有する諸般問題点を解決するためになされたもので、ペンシル化粧品が組み立てられるホルダーのチューブがボディーの内部に気密に密着して組み立てられ、また前記ボディーの上部に結合されるキャップの内部の密閉ラバーがボディーの上部に気密に密着して組み立てられて優れた気密性を確保してペンシル化粧品の品質を維持することにその目的がある。
【課題を解決するための手段】
【００１１】
前記課題を解決するために、本発明は、結合孔が形成され、上面を有する結合段差部の外周面に結合ネジ部が形成された円筒状のボディーと、前記ボディーの下部に回転可能に結合される下体と、前記ボディーの結合段差部に形成された結合ネジ部に螺合方式で開閉するように結合する上部キャップと、前記ボディーの内部に挿合され、上部にペンシル化粧品が挿入されるチューブ、及びボディー内側のネジ案内部に螺合して下体上部の組立バーに挿入されて連結され、下体の回転操作によって同時に回転しながら昇降作動するネジ棒を有するホルダーとを含んでなり、前記上部キャップは、インサートキャップと、前記インサートキャップの下側凹部に結合される密閉ラバーとを含んでなり、前記密閉ラバーは、キャップ状に下方に開放するように形成される凹部と、前記凹部の下部外側にインサートキャップの下端を取り囲むフランジとを含み、前記ボディーに対して上部キャップを螺合方式で閉じるとき、前記インサートキャップに結合された密閉ラバーのフランジの下面が前記ボディーの上面に直接気密に密着し、前記ボディーの結合孔は、ボディーの内部に挿入されるチューブの拡開密着部が弾発的に密着するように構成され、ボディーに上部キャップが結合されるとき、上部キャップの内部及びボディーの内部への空気の流入を遮断するように構成される。
【００１２】
前記チューブに形成された拡開密着部は、ボディーの結合孔の内径より大きい直径を有するように外側に次第に広がるように構成されることができる。
【００１３】
前記ホルダーのチューブの下部外側にはボディーの結合孔の内側に密着する支持突起が突設されることにより、ホルダーの昇降作動による遊動を防止するように構成されることができる。
【発明の効果】
【００１４】
本発明によれば、ペンシル化粧品が組み立てられるホルダーのチューブに形成された拡開密着部がボディーの内部に気密に密着して組み立てられ、また前記上部キャップのインサートキャップに備えられた密閉ラバーがボディーの上部に気密に密着して組み立てられる二重気密構造によって非常に優れた気密性を確保することによりペンシル化粧品の優れた品質を維持することができる。
【００１５】
すなわち、前記ペンシル化粧品の携帯及び保管時、上部キャップ及びチューブの二重気密構造によってペンシル化粧品の水分や香りと固有の成分が外部に発散することを根本的に防止し、またボディーの内部への外部空気の流入を遮断することにより、ボディーの内部に流入した空気によって化粧品が固まるとか汚染及び変質することを防止する効果を提供する。
【００１６】
また、上部キャップのインサートキャップに備えられた密閉ラバーの構成又はホルダーのチューブに形成された拡開密着部の構成を選択的に使っても化粧品容器の優れた気密性を提供することができ、化粧品容器の携帯使用によるペンシル化粧品の変質、汚染及び乾燥を防止することができる効果を提供する。
【図面の簡単な説明】
【００１７】
【図１】本発明による化粧品容器を示す外観斜視図である。
【図２】図１の分解斜視図である。
【図３】本発明による化粧品容器を示す組立断面図である。
【図４】図３の「Ａ」部の拡大図である。
【図５】図３の「Ｂ」部の拡大図である。
【図６】本発明による化粧品容器のボディー構成を示す部分切開斜視図である。
【図７】本発明による化粧品容器の使用状態を示す正断面図である。
【発明を実施するための形態】
【００１８】
以下、前述した本発明の好適な実施例を添付図面に基づいて具体的に説明する。
【００１９】
本発明の気密型ペンシル化粧品容器は、図１〜図６に示したように、ボディー１０、下体２０、上部キャップ３０及びホルダー４０からなる。
【００２０】
前記ボディー１０は円筒状構造の胴体１１から形成される。前記胴体１１の上部外側には上部キャップ３０が結合される結合段差部１２に形成された結合ネジ部１２ａが上部キャップ３０と螺合するように構成され、下部内側にはリング形結合溝１４が形成される。
【００２１】
前記下体２０はボディー１０の下部に上部結合部２１が挿合され、前記上部結合部２１の外側には下体内側のリング形結合溝１４に挿入されて、離脱を防止するとともに回転操作できるようにするリング形結合突起２４が突設される。
【００２２】
そして、前記下体２０の上部には組立バー２５が突設される。
【００２３】
前記上部キャップ３０は内部にインサートキャップ３１が内蔵され、前記インサートキャップ３１の下側凹部３１ａに密閉ラバー３３が結合される。前記密閉ラバー３３は、キャップ形態に下方に開放した形態を有する凹部３３ａと、前記溝の下端外側に、インサートキャップ３１の下端を取り囲むフランジ３３ｂとが形成されることにより、上部キャップの結合時、前記フランジ３３ｂの下面がボディー１０の上面１２ｂに密着して気密性を確保するように構成される。
【００２４】
ここで、前記フランジ３３ｂは密閉ラバー３３の厚さより大きい密着面を確保してボディーの上面１２ｂを大きな面積で密着するとともに、インサートキャップ３１とボディーの上面１２ｂの間に挟まる構造になって、上部キャップの結合時、ボディーの上面１２ｂをもっと密着して加圧するように構成される。
【００２５】
また、前記インサートキャップ３１は略「Ｈ」形の断面構造に形成され、下部外側が上部キャップ内周縁の支持段部３２によって支持されて離脱が防止されるように結合構成される。
【００２６】
前記ホルダー４０は、上部にペンシル化粧品２が挿入されるチューブ４１と、下部に設けられ、ボディー内側中央のネジ案内部１５に螺合されて回転しながら昇降作動するネジ棒４５とを含み、図面のように一体型又は組立型に構成される。
【００２７】
前記チューブ４１は、上端部が外側に次第に広がる拡開密着部４２が形成され、前記拡開密着部４２の最大外径がボディー１０の結合孔１１ａの内径より少し大きく形成されることにより、拡開密着部４２がボディー１０の結合孔１１ａの内側に弾発的に密着して気密性を確保するように構成される。
【００２８】
すなわち、前記ペンシル化粧品２の上部は上部キャップ３０の内部に結合される密閉ラバー３３によって、下部はチューブ４１の拡開密着部４２によって気密性を確保するので、ペンシル化粧品の携帯及び保管時、ペンシル化粧品の水分や香りと固有の成分が外部に発散することを根本的に防止し、外部空気の流入を遮断してペンシル化粧品の固化や汚染及び変質することを防止するように構成される。
【００２９】
特に、本発明は、ボディー１０の結合孔１１ａの内周面に密着するチューブ４１の拡開密着部４２の構成によってボディー１０の結合孔１１ａの内部が根本的に遮断され、上部キャップを開放する場合にもボディーの内部への空気の流入が遮断されることにより、従来のように上部キャップを閉じた状態でもボディーの内部に流入した空気によってペンシル化粧品が意図に反して乾燥して固まることを防止することができる。
【００３０】
また、前記チューブ４１の下部外側には、ボディー１０の結合孔１１ａの内側に密着してホルダー４０の遊動を防止するように支持する支持突起４３が突設される。
【００３１】
前記ネジ棒４５は、下部に、下体の組立バー２５が挿入され、下体の回転操作によって同時に回転作動するように組立孔４６が対応して形成される。
【００３２】
ここで、前記下体２０の組立バー２５とネジ棒の組立孔４６は互いに対応する断面多角形に形成されることによって一体に回転操作されるように構成することが好ましい。
【００３３】
未説明符号４７はネジ棒４５の下端に形成され、ボディー内部のネジ案内部で離脱を防止するように係止作動するテンション係止片を指す。
【００３４】
次に、前記のように構成される本発明の作動及び作用について詳細に説明する。
【００３５】
本発明のペンシル化粧品２を使おうとする場合には、ボディー１０の上部から上部キャップ３０をネジ方式で分離して開放する。
【００３６】
そして、前記ボディー１０を摘んでボディーの下部に結合された下体２０を回転操作することにより、前記下体上部の組立バー２５が下部組立孔４６に挿合されたホルダー４０を下体２０と一緒に回転作動する。
【００３７】
このとき、前記ホルダー４０の下部の組立孔４６と下体の組立バー２５は互いに対応する断面多角形に形成されることによって一体に回転操作される。
【００３８】
このように前記ホルダー４０が回転作動するに伴ってボディーの内側中央のネジ案内部１５に螺合しているホルダーのネジ棒４５が回転しながら上昇作動して、ホルダーの上部チューブ４１に挿入されたペンシル化粧品２をボディー１０の上方に突出させて使うことになる。
【００３９】
このような過程で、前記ホルダー４０の上部チューブ４１は、ボディー１０の内部の結合孔１１ａに弾発的に密着する上端の拡開密着部４２とともにボディー１０の内部の結合孔１１ａの内側に密着して支持される下部外側の支持突起４３によって上下で支持された状態で昇降するので、ホルダー４０の左右遊動を防止するとともにホルダー４０の上部のペンシル化粧品２を固定支持することによってペンシル化粧品２を効果的に使うことができる。
【００４０】
このようにペンシル化粧品２を使ってから再び携帯及び保管しようとする場合には、前記ボディー１０の下部に結合された下体２０を逆回転させてホルダー４０を元の位置に下降させた後、ボディー１０の上部に上部キャップ３０を螺合して気密に閉鎖する。
【００４１】
このとき、前記ボディー１０の内部の結合孔１１ａはホルダーの上部チューブ４１の上端部に形成された拡開密着部４２によって気密性を確保する。
【００４２】
前記拡開密着部４２は最大外径がボディー１０の結合孔１１ａの内径より少し大きく形成されるので、拡開密着部４２がボディー１０の結合孔１１ａ内で内側に圧搾されながら結合孔１１ａの内側面に弾発的に密着して、チューブ４１の昇降操作時にピストンの機能を果たすことによって優れた気密性を提供する。
【００４３】
また、前記上部キャップ３０の内部に挿入されたインサートキャップ３１の下部に密閉ラバー３３が結合されてボディー１０の上部の気密性を確保する。
【００４４】
前記密閉ラバー３３の下端に形成されたフランジ３３ｂがボディー１０の上面１２ｂに密着する。前記密閉ラバーのフランジ３３ｂは密閉ラバー３３の厚さより大きい密着面を確保してボディーの上面１２ｂを大面積で密着するとともにインサートキャップ３１の下端とボディーの上面１２ｂの間に挟まるように位置するので、上部キャップの結合時、ボディーの上面１２ｂをもっと密着状態で加圧して優れた気密性を確保する。
【００４５】
すなわち、前記ペンシル化粧品２の携帯及び保管のためにボディー１０の上部が上部キャップと螺合するとき、上部キャップの内部に結合される密閉ラバー３３によって確かに気密に加圧され、ボディーの内部はチューブ４１の拡開密着部４２によって気密に維持される構成によって気密性が二重に確保されることにより、内部ペンシル化粧品２の水分や香りと固有の成分が外部に発散することを根本的に防止し、外部空気の流入を遮断してペンシル化粧品２の固化や汚染及び変質をより優秀に防止する。
【００４６】
一方、本発明によれば、上部キャップ３０のインサートキャップ３１に形成された密閉ラバー３３の構成又はホルダー４０のチューブ４１に形成された拡開密着部４２の構成を選択的に適用してボディー１０の上面１２ｂを気密に維持するとか又は結合孔１１ａの内部に空気が流入する現象を防止することにより、化粧品容器の携帯使用によるペンシル化粧品の変質、汚染及び乾燥の現象を防止するように構成することもできる。
【００４７】
以上、本発明を添付図面に基づいて説明したが、本発明はこれに限定されず、下記の特許請求範囲を逸脱しない範疇内で多くの修正及び変更が可能であろう。本発明において、ペンシル化粧品はその用語に限定されるものではなく、各種のスティック型化粧品を含む概念である。例えば、スティック型のリップスティック又はアイライナーなどを例として挙げることができる。
【符号の説明】
【００４８】
１０    ボディー
１１    胴体
１１ａ    結合孔
１２    結合段差部
１２ａ    結合ネジ部
１２ｂ    上面
１４    結合溝
１５    ネジ案内部
２０    下体
２１    上部結合部
２４    結合突起
３０    上部キャップ
３１    インサートキャップ
３３    密閉ラバー
３３ａ    凹部
３３ｂ    フランジ
４０    ホルダー
４１    チューブ
４２    拡開密着部
４３    支持突起
４５    ネジ棒
４６    組立孔
【図１】
2019511315.tif 000003
【図２】
2019511315.tif 000004
【図３】
2019511315.tif 000005
【図４】
2019511315.tif 000006
【図５】
2019511315.tif 000007
【図６】
2019511315.tif 000008
【図７】
2019511315.tif 000009
【国際調査報告】
2019511315.tif 000010
2019511315.tif 000011